(57)【特許請求の範囲】
【請求項１】
化粧パネルにヒンジ結合されるとともに、この化粧パネルの係止部に係止されるスライド式ロック片を有する吸込グリルを備えた空気調和装置において、この吸込グリルの裏側には一体にボスを設け、この吸込グリルの桟の方向へ延びる案内片を有する略T字状のホルダをこのボスに固定され、このホルダと前記吸込グリルとの間には前記スライド式ロック片がこのホルダの案内片に沿ってスライド自在に介装されて、このスライド式ロック片は、前記吸込グリルの桟に沿ってスライド可能に形成されていることを特徴とする空気調和装置。
【請求項２】
請求項１記載の空気調和装置において、前記吸込グリルのロック時には前記略T字状のホルダの案内片と前記スライド式ロック片とが固定されることを特徴とする空気調和装置。
【発明の詳細な説明】
【０００１】
【発明の属する技術分野】
本発明は、吸込グリルを有する空気調和装置の改良に関する。
【０００２】
【従来の技術】
一般に、化粧パネルにヒンジ結合されるとともに、この化粧パネルの係止部に係止されるスライド式ロック片を有する吸込グリルを備えた空気調和装置は知られている。この種のものでは、吸込グリルの桟に直交する方向にスライド式ロック片をスライドさせるための欠落部を形成して、この欠落部にスライド式ロック片をスライド自在に装着するようにしている。
【０００３】
【発明が解決しようとする課題】
しかしながら、従来の構成では、吸込グリルからスライド式ロック片を取り外した場合に、吸込グリルの桟に前述した欠落部が残るという問題がある。そのために、スライド式ロック片の装着を必要とする吸込グリルにおいては欠落部が目立たないので問題はないが、このスライド式ロック片の装着を必要としない吸込グリルにあっては欠落部が目立ち過ぎるので、両方のグリルの兼用化を図ることはできないという問題がある。また、従来では前述したスライド式ロック片を化粧パネルの係止部に係止した後に、このスライド式ロック片がスライドしないように固定すること等は行なわれていないという問題がある。
【０００４】
そこで、本発明の目的は、上述した従来の技術が有する問題点を解消し、吸込グリルからスライド式ロック片を取り外した場合でも、吸込グリルの桟に欠落部が残ることのないようにした空気調和装置を提供することにある。
【０００５】
【課題を解決するための手段】
請求項１記載の発明は、化粧パネルにヒンジ結合されるとともに、この化粧パネルの係止部に係止されるスライド式ロック片を有する吸込グリルを備えた空気調和装置において、この吸込グリルの裏側には一体にボスを設け、この吸込グリルの桟の方向へ延びる案内片を有する略T字状のホルダをこのボスに固定され、このホルダと前記吸込グリルとの間には前記スライド式ロック片がこのホルダの案内片に沿ってスライド自在に介装されて、このスライド式ロック片は、前記吸込グリルの桟に沿ってスライド可能に形成されていることを特徴とするものである。
【０００６】
請求項２記載の発明は請求項１記載の空気調和装置において、前記吸込グリルのロック時には前記略T字状のホルダの案内片と前記スライド式ロック片とが固定されることを特徴とするものである。
【０００７】
これらの発明によれば、スライド式ロック片を取り外したとしても、従来のように、吸込グリルの桟には欠落部が形成されない。従って、スライド式ロック片の装着を必要とする吸込グリルと、スライド式ロック片の装着を必要としない吸込グリルとの兼用化が図られる。
【０００８】
【発明の実施の形態】
以下、本発明の実施の形態を図面を用いて説明する。
【０００９】
図１において、符号５０は、４方向の天井カセット型エアコンと呼ばれる空気調和機を示している。この空気調和機５０は、天井内部１に収納される板金製の本体２と、中央に吸込口３を有し、外周部の４辺に吹出口４を有し、天井穴５を塞ぐように天井面６に設けられる化粧パネル７と、中央に吸気口８を有する吸込グリル９とを備える。１０は送風機であり、この送風機１０はターボファン１１と、天板１２に取り付けられたファン用モータ１３とからなる。１４は吸気口８からの空気をターボファン１１に案内するノズル口であり、１５は内側立上がり部１５ａと外側立上がり部１５ｂとを有し、角張った環形状に発泡スチロールで形成されたドレンパンであり、１６はターボファン１１の吐出側にこのファンを取り囲むように環状に配置されたプレートフィン型熱交換器である。
【００１０】
１７は本体２の周囲に巻かれた断熱材であり、２１は熱交換器１６で熱交換された空気を吹出口４へ導く導風部である。また、２２は本体２を吊り具２３で天井梁に吊り下げるための吊りボルトであり、２４は吸込グリル下流側に取付けられる空気清浄用のフィルターである。
【００１１】
図２を参照して、化粧パネル７の一辺にはヒンジ２５，２５を介して前述した吸込グリル９が開閉自在に取付けられ、この吸込グリル９にはフィルター２４が取外し自在に装着される。２７はフィルター押えである。
【００１２】
この種の空気調和機５０では、例えばこのフィルター２４のメンテナンス等のために、その都度、吸込グリル９が開閉される。
【００１３】
この実施の形態によれば、ヒンジ２５，２５を介して吸込グリル９が回動されて、この吸込グリル９が閉じられた時には、吸込グリル９に設けられた一対のスライド式ロック片１００が、化粧パネル７の係止部（穴）３５に係止されることにより、吸込グリル９は化粧パネル７に固定される。
【００１４】
このスライド式ロック片１００は、図３に示すように、吸込グリル９の桟９ａ，９ａの間に沿って実線の矢印方向へスライド可能に形成される。
【００１５】
このスライド式ロック片１００の取付け状態を説明すると、吸込グリル９の裏側には、一対の略十字状のボス部１０２が一体に成形され、このボス部１０２には板金製でこの吸込グリル９の桟９ａの方向へ延びる案内片を有するＴ字形のホルダ１０１があてがわれ、このＴ字形のホルダ１０１は２本のねじ１０３を介してボス部１０２に固定される。そして、このスライド式ロック片１００は、図４からも明らかなように、ホルダ１０１と吸込グリル９の固定部とに挟まれて、両者の間でスライド自在に介装される。
【００１６】
スライド式ロック片１００は樹脂製で長方形状を呈しており、板面中程にはＵ字状の切欠き１００ａが形成され、残りの部分１００ｂは基部１００ｃでつながっており、残りの部分１００ｂの自由端には、吸込グリル９側に三角状に突出する突起１００ｄが設けられる。スライド式ロック片１００がスライドされる時には、残りの部分１００ｂの自由端が基部１００ｃを基準にして弾発することにより、突起１００ｄが、吸込グリル９の所定位置に突設された土手（図示せず）に乗り上げ、いわゆる操作上のクリック感が得られるようにしてある。
【００１７】
スライド式ロック片１００には、図４に示すように、一対のつまみ部１０５が形成されており、この一対のつまみ部１０５は夫々吸込グリル９の桟９ａ，９ａの間を貫通して、吸込グリル９の表側に突出し、このつまみ部１０５の操作により、スライド式ロック片１００はこの略T字状のホルダの案内片に沿ってスライドされる（図3参照）。図３は、スライド式ロック片１００の先端が吸込グリル９の側縁よりも外側に突出した状態を示しており、この状態においては、図２を参照して、スライド式ロック片１００の先端は、前述した化粧パネル７の係止部（穴）３５に係止される。
【００１８】
吸込グリル９をロックした時には、スライド式ロック片１００を固定することが望ましい。この実施の形態によれば、図３に示すように、スライド式ロック片１００には孔１００ｅがあけられ、ホルダ１０１にはスライド式ロック片１００を突出させた状態で、スライド式ロック片１００の孔１００ｅに相当する位置（略T字状のホルダの案内片）にねじ孔１０１ａがあけられる。これによれば、吸込グリル９をロックした時に、各孔１００ｅ，１０１ａを通じてねじ（図示せず）止めすることにより、スライド式ロック片１００をホルダ１０１に対してしっかり固定することができるので、スライド式ロック片１００が化粧パネル７の係止部（穴）３５から抜け出る等のトラブルを未然に防止することができる。
【００１９】
このように構成したものでは、吸込グリル９の桟９ａ，９ａに対して欠落部を設けないので、吸込グリル９からスライド式ロック片１００を取り外したとしても、吸込グリル９の桟９ａ，９ａに欠落部は生じないので、スライド式ロック片１００の装着を必要としない場合であっても、同一形式の吸込グリル９を用いることができる等の効果が得られる。
【００２０】
以上、一実施の形態に基づいて本発明を説明したが、本発明は、これに限定されるものではなく、種々の変形実施は可能である。
【００２１】
【発明の効果】
以上の説明から明らかなように、本発明によれば、吸込グリルの桟に欠落部を設けなくてもよいので、吸込グリルからスライド式ロック片を取り外したとしても、吸込グリルの桟に欠落部は生じないので、スライド式ロック片の装着を必要とする場合であっても、必要としない場合であっても、共に同一形式の吸込グリルを用いることができる等の効果を奏する。
【図面の簡単な説明】
【図１】本発明による空気調和装置の一実施の形態を示す断面図である。
【図２】吸込グリルを開けた状態を示す斜視図である。
【図３】吸込グリルの裏側から見た図であり、この実施の形態の要部となる、スライド式ロック片を示す平面図である。
【図４】同じく断面図である。
【符号の説明】
７  化粧パネル
９  吸込グリル
９ａ  桟
２５，２５  ヒンジ
３５  係止部
５０  空気調和機
１００  スライド式ロック片
１０１  ホルダ
１０５  つまみ部
【図１】
0003795957.tif 000002
【図２】
0003795957.tif 000003
【図３】
0003795957.tif 000004
【図４】
0003795957.tif 000005